【手続補正書】
【提出日】平成15年9月5日(2003.9.5)
【手続補正１】
【補正対象書類名】明細書
【補正対象項目名】特許請求の範囲
【補正方法】変更
【補正の内容】
【特許請求の範囲】
【請求項１】
調合槽と、調合槽に水系の極性溶媒を供給する溶媒供給手段と、調合槽に電解質を供給する電解質供給手段と、調合槽に非電解質を供給する非電解質供給手段と、調合槽に設けられた撹拌手段と、調合槽に設けられた排出手段と、調合槽に設けられた電気伝導率計とを備えた混合装置を使用して行なう電解質と非電解質の混合溶液の調合方法であって、
（ａ）調合槽に溶媒を供給し、（ｂ）供給された溶媒に、撹拌手段による撹拌下に電解質供給手段により電解質を連続的に添加混合しながら、電気伝導率計によりその電解質を混合した電解質溶液の電気伝導率を測定して、前記電解質溶液の電解質濃度を検知することにより所定濃度の電解質溶液を作製し、（ｃ）次いでその電解質溶液を撹拌したまま、これに非電解質供給手段により非電解質を連続的に添加混合しながら、前記電気伝導率計によりその非電解質を混合した混合溶液の電気伝導率を測定して、混合溶液の非電解質濃度を検知することにより、所定濃度の電解質と所定濃度の非電解質を含む混合溶液を調合し、（ｄ）然る後に排出手段により混合溶液を排出する、前記（ａ）、（ｂ）、（ｃ）、（ｄ）の一連の工程を複数回繰り返す、電解質と非電解質の混合溶液の調合方法において、
前記混合溶液の複数回の調合のうちの第１回目の調合においては、前記（ａ）工程の後（ｂ）工程の前に、前記調合槽に供給した水に、第１回目以降の調合により調合された混合溶液を排出後の前記混合装置に不可避的に残留する残留液に含まれる非電解質量と同量の非電解質を投入することを特徴とする電解質と非電解質の混合溶液の調合方法。
【請求項２】
前記撹拌手段は調合槽に取付けた循環路を含む循環手段からなる請求項１の混合溶液の調合方法。
【請求項３】
前記電気伝導率計は前記循環路に設置される請求項２の混合溶液の調合方法。
【請求項４】
前記溶媒は水であり、前記電解質は塩化ナトリウムを主成分とする電解質薬剤であり、前記非電解質はグルコース薬剤である請求項１の混合溶液の調合方法。
【請求項５】
調合槽と、調合槽に水系の極性溶媒を供給する溶媒供給手段と、調合槽に電解質を供給する電解質供給手段と、調合槽に非電解質を供給する非電解質供給手段と、調合槽に設けられた撹拌手段と、調合槽に設けられた排出手段と、調合槽に設けられた電気伝導率計とを備えた混合装置を使用して行なう電解質と非電解質の混合溶液の調合方法であって、
（ａ）調合槽に溶媒を供給し、（ｂ）供給された溶媒に、撹拌手段による撹拌下に電解質供給手段により電解質を連続的に添加混合しながら、電気伝導率計によりその電解質を混合した電解質溶液の電気伝導率を測定して、前記電解質溶液の電解質濃度を検知することにより所定濃度の電解質溶液を作製し、（ｃ）次いでその電解質溶液を撹拌したまま、これに非電解質供給手段により非電解質を連続的に添加混合しながら、前記電気伝導率計によりその非電解質を混合した混合溶液の電気伝導率を測定して、混合溶液の非電解質濃度を検知することにより、所定濃度の電解質と所定濃度の非電解質を含む混合溶液を調合し、（ｄ）然る後に排出手段により混合溶液を排出する、前記（ａ）、（ｂ）、（ｃ）、（ｄ）の一連の工程を複数回繰り返す、電解質と非電解質の混合溶液の調合方法において、
前記混合溶液の複数回の調合のうちの第１回目の調合においては、前記電気伝導率の測定による電解質溶液の電解質濃度を検知する前記電気伝導率計の濃度設定値を、第１回目以降の調合により調合された混合溶液を排出後の前記混合装置に不可避的に残留する残留液に含まれる非電解質分に相当する変動量だけ変更して設定することを特徴とする電解質と非電解質の混合溶液の調合方法。
【請求項６】
前記撹拌手段は調合槽に取付けた循環路を含む循環手段からなる請求項５の混合溶液の調合方法。
【請求項７】
前記電気伝導率計は前記循環路に設置される請求項６の混合溶液の調合方法。
【請求項８】
前記溶媒は水であり、前記電解質は塩化ナトリウムを主成分とする電解質薬剤であり、前記非電解質はグルコース薬剤である請求項５の混合溶液の調合方法。
【請求項９】
第１の調合槽と、第１の調合槽に水系の極性溶媒を供給する溶媒供給手段と、第１の調合槽に電解質を供給する電解質供給手段と、第１の調合槽に設けられた第１の撹拌手段と、第１の調合槽に設けられた第１の電気伝導率計と、第１の調合槽に設けられた第１の排出手段と、第２の調合槽と、第２の調合槽に非電解質を供給する非電解質供給手段と、第２の調合槽に設けられた第２の撹拌手段と、第２の調合槽に設けられた第２の電気伝導率計と、第２の調合槽に設けられた第２の排出手段とを備えた混合装置を使用して行なう電解質と非電解質の混合溶液の調合方法であって、
（ａ）第１の調合槽に溶媒を供給し、（ｂ）供給された溶媒に、第１の撹拌手段による撹拌下に電解質供給手段により電解質を連続的に添加混合しながら、第１の電気伝導率計によりその電解質を混合した電解質溶液の電気伝導率を測定して、前記電解質溶液の電解質濃度を検知することにより所定濃度の電解質溶液を作製し、（ｃ）その電解質溶液を第１の排出手段により排出して第２の調合槽に供給し、（ｄ）次いで、供給された電解質溶液に、第２の撹拌手段による撹拌下に非電解質供給手段により非電解質を連続的に添加混合しながら、第２の電気伝導率計によりその非電解質を混合した混合溶液の電気伝導率を測定して、混合溶液の非電解質濃度を検知することにより、所定濃度の電解質と所定濃度の非電解質を含む混合溶液を調合し、（ｅ）然る後に第２の排出手段により混合溶液を排出する、前記（ａ）、（ｂ）、（ｃ）、（ｄ）、（ｅ）の一連の工程を複数回繰り返すことを特徴とする電解質と非電解質の混合溶液の調合方法。
【請求項１０】
前記第１の撹拌手段は第１の調合槽に取付けた循環路を含む循環手段からなり、前記第２の撹拌手段は第２の調合槽に取付けた循環路を含む循環手段からなる請求項９の混合溶液の調合方法。
【請求項１１】
前記電気伝導率計は前記循環路に設置される請求項１０の混合溶液の調合方法。
【請求項１２】
前記溶媒は水であり、前記電解質は塩化ナトリウムを主成分とする電解質薬剤であり、前記非電解質はグルコース薬剤である請求項９の混合溶液の調合方法。
【手続補正２】
【補正対象書類名】明細書
【補正対象項目名】００２１
【補正方法】変更
【補正の内容】
【００２１】
本発明の他の態様では、前記混合溶液の複数回の調合のうちの第１回目の調合においては、前記（ａ）工程の後（ｂ）工程の前に、前記調合槽に供給した溶媒に、第２回目以降の調合時に調合された混合溶液を排出後の前記混合装置に不可避的に残留する残留液に含まれる非電解質量と同量の非電解質を投入する代わりに、前記電気伝導率の測定による電解質溶液の電解質濃度を検知する前記電気伝導率計の濃度設定値を、第１回目以降の調合により調合された混合溶液を排出後の前記混合装置に不可避的に残留する残留液に含まれる非電解質分に相当する変動量だけ変更して設定することを特徴とする。


【手続補正３】
【補正対象書類名】明細書
【補正対象項目名】００２２
【補正方法】変更
【補正の内容】
【００２２】
本発明の更に他の態様は、第１の調合槽と、第１の調合槽に水系の極性溶媒を供給する溶媒供給手段と、第１の調合槽に電解質を供給する電解質供給手段と、第１の調合槽に設けられた第１の撹拌手段と、第１の調合槽に設けられた第１の電気伝導率計と、第１の調合槽に設けられた第１の排出手段と、第２の調合槽と、第２の調合槽に非電解質を供給する非電解質供給手段と、第２の調合槽に設けられた第２の撹拌手段と、第２の調合槽に設けられた第２の電気伝導率計と、第２の調合槽に設けられた第２の排出手段とを備えた混合装置を使用して行なう電解質と非電解質の混合溶液の調合方法であって、
（ａ）第１の調合槽に溶媒を供給し、（ｂ）供給された溶媒に、第１の撹拌手段による撹拌下に電解質供給手段により電解質を連続的に添加混合しながら、第１の電気伝導率計によりその電解質を混合した電解質溶液の電気伝導率を測定して、前記電解質溶液の電解質濃度を検知することにより所定濃度の電解質溶液を作製し、（ｃ）その電解質溶液を第１の排出手段により排出して第２の調合槽に供給し、（ｄ）次いで、供給された電解質溶液に、第２の撹拌手段による撹拌下に非電解質供給手段により非電解質を連続的に添加混合しながら、第２の電気伝導率計によりその非電解質を混合した混合溶液の電気伝導率を測定して、混合溶液の非電解質濃度を検知することにより、所定濃度の電解質と所定濃度の非電解質を含む混合溶液を調合し、（ｅ）然る後に第２の排出手段により混合溶液を排出する、前記（ａ）、（ｂ）、（ｃ）、（ｄ）、（ｅ）の一連の工程を複数回繰り返すことを特徴とする電解質と非電解質の混合溶液の調合方法である。


【手続補正４】
【補正対象書類名】明細書
【補正対象項目名】００２４
【補正方法】変更
【補正の内容】
【００２４】
実施例１
図１は、本発明の混合溶液の調合方法を実施するのに使用する混合装置を示す構成図である。本混合装置は、透析液の特にＡ剤を調合するのに好適に使用できる装置であるが、広く他の種類の混合溶液を調合するのに使用することもできる。


【手続補正５】
【補正対象書類名】明細書
【補正対象項目名】００３３
【補正方法】変更
【補正の内容】
【００３３】
この残留液が合せられた電解質水溶液の電気伝導率ρ（ｍＳ／ｃｍ）を測定すると、残留液中に含まれるグルコースにより電気伝導率が影響を受け、電解質濃度Ｃ（ｍｍｏｌ／ｌ）が同一であっても、残留液が合せられない電解質水溶液の電気伝導率よりも、含まれるグルコース量の分だけ低くなる。つまり、電気伝導率と電解質濃度との関係は、第２回目以降の調合時には、第１回目の調合時の図２の直線Ｌ1 から直線Ｌ2 に変化し、同一電解質濃度Ｃ0 に対し、第２回目以降の調合時の電気伝導率計の指示値ρ＝ρ2 は、第１回目の調合時の指示値ρ＝ρ1 よりも低目に出る。


【手続補正６】
【補正対象書類名】明細書
【補正対象項目名】００４４
【補正方法】変更
【補正の内容】
【００４４】
本混合装置１は、実施例１に示したのと同様の透析液の特にＡ剤の混合装置であるが、本実施例では、電解質薬剤１０１に対し調合槽１５Ａを、非電解質薬剤（グルコース薬剤）１０２に対して調合槽１５Ｂをそれぞれ設けた点が相違する。従って、本混合装置において、実施例１の混合装置と同様な機能をなす部材には同一の符号を付して詳しい説明は省略する。


【手続補正７】
【補正対象書類名】明細書
【補正対象項目名】００４８
【補正方法】変更
【補正の内容】
【００４８】
次に、水溶液の流動による撹拌下に、粉末状のグルコース薬剤１０２をホッパ１２から、供給装置１４により所定量づつ調合槽１５Ｂへと供給する。調合槽１５Ｂ内の電解質水溶液とグルコースとはポンプ１９Ｂにより、管路２０Ｂを介して循環流動することにより十分に撹拌され、電解質水溶液にグルコースを溶解した混合水溶液となる。この調合槽１５Ｂ内の混合水溶液中のグルコース濃度は、管路２０Ｂに設置された電気伝導率計２４Ｂにより測定される。